(57)【特許請求の範囲】
【請求項１】
複数の移動体の各々に携帯され、各々の識別情報信号を発信する複数の発信機と、
遊技店の敷地の複数の所定箇所の各々に対応して配置され、前記発信機から発信された識別情報信号を受信する複数の受信機と、
前記遊技店内に設けられた複数の遊技機の各々の周辺に配置された複数の表示手段と、
前記複数の表示手段の各々に対応して配置され、会員カードから会員の識別情報を読み取ると共に読み取った会員の識別情報を出力する複数の出力手段と、
会員の識別情報と前記発信機の識別情報とを対応して記憶する記憶手段と、
前記受信機により前記識別情報信号が受信された場合、前記記憶手段に記憶された前記会員の識別情報と前記発信機の識別情報に基づいて、該受信された識別情報に対応する会員の識別情報が出力された出力手段に対応する表示手段に、所定の情報が表示されるように該表示手段を制御する制御手段と、
を備えた監視装置。
【請求項２】
複数の移動体の各々に携帯され、各々の識別情報信号を発信する複数の発信機と、
遊技店の敷地の複数の所定箇所の各々に対応して配置され、前記発信機から発信された識別情報信号を受信する複数の受信機と、
前記複数の所定箇所周辺の各々を撮影する撮影手段と、
前記遊技店内に設けられた複数の遊技機の各々の周辺に配置された複数の表示手段と、
前記複数の表示手段の各々に対応して配置され、会員カードから会員の識別情報を読み取ると共に読み取った会員の識別情報を出力する複数の出力手段と、
会員の識別情報と前記発信機の識別情報とを対応して記憶する記憶手段と、
前記受信機により前記識別情報信号が受信された場合、前記記憶手段に記憶された前記会員の識別情報と前記発信機の識別情報に基づいて、該受信された識別情報に対応する会員の識別情報が出力された出力手段に対応する表示手段に、前記撮影手段により撮影されかつ該識別情報信号を受信した受信機が対応する所定箇所周辺の画像が表示されるように該表示手段を制御する制御手段と、
を備えた監視装置。
【発明の詳細な説明】
【０００１】
【発明の属する技術分野】
本発明は、監視装置に係り、より詳しくは、遊技店において、移動体、例えば、子供を監視する監視装置に関する。
【０００２】
【従来の技術及び発明が解決しようとする課題】
従来、パチンコ店において子供連れで遊技する者もいる。かかる遊技者が遊技に熱中すると、子供に対する注意力がうすれる。この反面、子供は、パチンコ店のいたるところに移動し、更に、パチンコ店の外や、パチンコ店の敷地外へ、移動する場合がある。これにより、交通事故等や誘拐の危険にさらされる。
【０００３】
本発明は、上記事実に鑑み成されたもので、子供等の移動体と来店した遊技店内で移動体を監視することの可能な監視装置を提案することを目的とする。
【００１２】
【課題を解決するための手段】
上記目的達成のため請求項１記載の発明は、複数の移動体の各々に携帯され、各々の識別情報信号を発信する複数の発信機と、遊技店の敷地の複数の所定箇所の各々に対応して配置され、前記発信機から発信された識別情報信号を受信する複数の受信機と、前記遊技店内に設けられた複数の遊技機の各々の周辺に配置された複数の表示手段と、前記複数の表示手段の各々に対応して配置され、会員カードから会員の識別情報を読み取ると共に読み取った会員の識別情報を出力する複数の出力手段と、会員の識別情報と前記発信機の識別情報とを対応して記憶する記憶手段と、前記受信機により前記識別情報信号が受信された場合、前記記憶手段に記憶された前記会員の識別情報と前記発信機の識別情報に基づいて、該受信された識別情報に対応する会員の識別情報が出力された出力手段に対応する表示手段に、所定の情報が表示されるように該表示手段を制御する制御手段と、を備えている。
【００１３】
即ち、複数の発信機の各々は、複数の移動体の各々に携帯され、各々の識別情報信号を発信する。また、遊技店の敷地の複数の所定箇所の各々には、発信機から発信された識別情報信号を受信する受信機が配置されている。
【００１４】
一方、遊技店内に設けられた複数の遊技機の各々の周辺には、複数の表示手段が配置されている。
【００１５】
また、複数の出力手段は、複数の表示手段の各々に対応して配置され、会員カードから会員の識別情報を読み取ると共に読み取った会員の識別情報を出力する。
【００１６】
記憶手段には、会員の識別情報と発信機の識別情報とを対応して記憶する。なお、記憶手段には、発信機が移動体に携帯されるときに対応して会員の識別情報と発信機の識別情報とを対応して記憶する。よって、移動体と会員とを対応させることができる。
【００１７】
ここで、移動体が遊技者から離れ、受信機の受信可能エリアと発信機の識別情報信号の到達エリアが重なる位置に移動すると、受信機により識別情報信号が受信される。そして、受信機により識別情報信号が受信されると制御手段は、記憶手段に記憶された会員の識別情報と識別情報に基づいて、該受信された識別情報に対応する会員の識別情報が出力された出力手段に対応する表示手段に、所定の情報が表示されるように該表示手段を制御する。なお、所定の情報には、警戒情報及び識別情報信号を受信した受信機の位置情報の少なくとも一方等がある。
【００１８】
このように、受信機により識別情報信号が受信された場合、受信された識別情報に対応する会員の識別情報を出力した出力手段に対応する表示手段に、所定の情報が表示されるので、識別情報信号を発信した発信機が携帯された移動体に対応する会員が遊技している遊技機に対応する表示手段に、所定情報を表示することができ、移動体を選択して監視することができる。
【００１９】
特に、所定情報として識別情報信号を受信した受信機の位置情報が表示されると、移動体がいずれの位置に移動したか把握することができ、監視装置の利便性が向上する。
【００２０】
また、請求項２記載の発明は、複数の移動体の各々に携帯され、各々の識別情報信号を発信する複数の発信機と、遊技店の敷地の複数の所定箇所の各々に対応して配置され、前記発信機から発信された識別情報信号を受信する複数の受信機と、前記複数の所定箇所周辺の各々を撮影する撮影手段と、前記遊技店内に設けられた複数の遊技機の各々の周辺に配置された複数の表示手段と、前記複数の表示手段の各々に対応して配置され、会員カードから会員の識別情報を読み取ると共に読み取った会員の識別情報を出力する複数の出力手段と、会員の識別情報と前記発信機の識別情報とを対応して記憶する記憶手段と、前記受信機により前記識別情報信号が受信された場合、前記記憶手段に記憶された前記会員の識別情報と前記発信機の識別情報に基づいて、該受信された識別情報に対応する会員の識別情報が出力された出力手段に対応する表示手段に、前記撮影手段により撮影されかつ該識別情報信号を受信した受信機が対応する所定箇所周辺の画像が表示されるように該表示手段を制御する制御手段と、を備えている。
【００２１】
このように請求項２記載の発明に係る撮影手段は、複数の所定箇所周辺の各々を撮影する。そして、受信機により信号が受信されると制御手段は、記憶手段に記憶された会員の識別情報と発信機の識別情報に基づいて、該受信された識別情報に対応する会員の識別情報が出力された出力手段に対応する表示手段に、撮影手段により撮影されかつ該識別情報信号を受信した受信機が対応する所定箇所周辺の画像が表示されるように該表示手段を制御する。
【００２２】
即ち、受信機により信号が受信されると、受信された識別情報に対応する会員の識別情報が出力された出力手段に対応する表示手段に、撮影手段により撮影された画像が表示され、該画像は受信機が対応して配置された所定箇所周辺の画像であるので、移動体が表示手段に表示されることになる。
【００２３】
このように、受信機により信号が受信されると受信された識別情報に対応する会員の識別情報が出力された出力手段に対応する表示手段に移動体が表示されるので、移動体を選択的かつ間接的に目視により監視することができ、監視精度が向上し、監視装置の利便性が向上する。
【００２４】
【発明の実施の形態】
以下、本発明の実施の形態を図面を参照して詳細に説明する。
図１には、パチンコ店の敷地１０が示されている。敷地１０には、店舗１２と、駐車場１４とが設けられている。また、敷地１０内には、店舗１２の出入口１８及び敷地１０の境界の出入口１９の各々に、受信機２７が配置されている。更に、店舗１２の出入口１８及び敷地１０の境界の出入口１９の各々には、店舗１２の出入口１８及び敷地１０の境界の出入口１９周辺を撮影するカメラ２３が設けられている。
【００２５】
店舗１２には、パチンコ機、パチスロ機等の遊技機が複数配置された複数の島１４Ｎ1 、１４Ｎ2 、…１４Ｎn が配置されている。また、店舗１２には、オペレータが常時待機している監視室１６が設けられている。
【００２６】
駐車場１４は、各々１台の車を駐車するための駐車スペース２０Ｎ1 、２０Ｎ2 、…２０Ｎn が設けられている。駐車スペース２０Ｎ1 、２０Ｎ2 、…２０Ｎn には、次に説明するように、同様の装置が設けられているので、駐車スペース２０Ｎ1 のみを説明し、他の説明を省略する。
【００２７】
駐車スペース２０Ｎ1 には、会員カードから会員のＩＤコードを読み取る図示しないカードリーダ、駐車した車の車止めをする車止め装置を含んで構成された駐車装置２４、各々のＩＤコード信号を発信する発信機２５が設けられている。
【００２８】
また、島１４Ｎ1 、１４Ｎ2 、…１４Ｎn は、同様の構成となっているので、島１４Ｎ1 のみを説明し、他の説明を省略する。島１４Ｎ1 は、図２に示すように、複数の遊技機３０Ｎ1 、３０Ｎ2 、…３０Ｎn が設けられている。遊技機３０Ｎ1 、３０Ｎ2 、…３０Ｎn の各々には、周辺（本形態では上部（なお、周辺であれば上部に限定されない））に表示装置３２Ｎ1 、３２Ｎ2 、…３２Ｎn が設けられている。この表示装置３２Ｎ1 、３２Ｎ2 、…３２Ｎn には、会員カードを挿入する挿入口Ｋが設けられている。
【００２９】
次に、本形態の監視装置の制御系を説明する。本制御系は、図３に示すように、監視室１６に備えられたコンピュータ５０を備えている。コンピュータ５０は、ＣＰＵ５２、ＲＯＭ５４、ＲＡＭ５６、入出力ポート５８を備え、これらはバス６０により相互に接続されている。入出力ポート５８には、駐車スペース２０Ｎ1 、２０Ｎ2 、…２０Ｎn の各々に配置された駐車装置２４、島１４Ｎ1 、１４Ｎ2 、…１４Ｎn の各々に設けられた遊技機３０Ｎ1 、３０Ｎ2 、…３０Ｎn の周辺に配置された表示装置３２Ｎ（３２Ｎ1 、３２Ｎ2 、…３２Ｎn ）が接続されている。さらに、この入出力ポート５８には、複数のカメラ２３、複数の受信機２７、及び外部記憶装置６２が接続されている。
【００３０】
外部記憶装置６２には、後述するように、発信機２５のＩＤコード、会員のＩＤコード、及び表示手段３２ＮのＩＤコードを対応して記憶する第１のエリア、複数の受信機２７のＩＤコード及び位置情報とカメラ２３のＩＤコードとを対応して記憶する第２のエリアが設けられている。
【００３１】
次に、本形態の作用を説明する。
駐車場を備えた遊技店の遊技機で遊技しようとする者の多くは、車で来店する。車で来店した者の中には、子供連れの者もいる。そして、車で来店した者は、車を駐車スペース２０Ｎ1 、２０Ｎ2 、…２０Ｎn のいずれか、例えば、駐車スペース２０Ｎ1 に駐車する。車が駐車スペース２０Ｎ1 に駐車されると駐車装置２４は、図示しない光センサにより車の駐車を確認して車止め装置を制御して車止めをする。
【００３２】
一方、子供連れの遊技者は、子供に発信機２５を携帯させると共に、駐車装置２４のカードリーダに会員カードを挿入する。会員カードがカードリーダに挿入されると、駐車装置２４は、読み取った会員のＩＤコードと発信機２５のＩＤコードとをコンピュータ５０に出力する。
【００３３】
なお、パチンコ店舗１２内の図示しないカウンタにカードリーダを設けると共に、カウンタで会員の子供に発信機２５を携帯してもらい、子供に携帯された発信機２５のＩＤコードと会員カードからカードリーダにより読み取った会員のＩＤコードとをコンピュータ５０に出力するようにしてもよい。
【００３４】
このように会員のＩＤコードと発信機２５のＩＤコードとを入力すると、監視室１６内に備えられたコンピュータ５０は、図４に示した割り込み処理ルーチンをスタートし、ステップ７０で、発信機２５のＩＤコードと会員のＩＤコードとを対応して外部記憶装置６２の第１のエリアに記憶する。
【００３５】
一方、遊技者は、自己が遊技を望む遊技機の前に座り遊技を開始する。遊技を開始する際遊技者は、会員カード挿入口Ｋに会員カードを挿入する。会員カード挿入口Ｋに会員カードが挿入された表示装置３２Ｎは、挿入された会員カードから会員のＩＤコードを読み取り、会員のＩＤコードと表示装置３２Ｎの識別コードとをコンピュータ５０に出力する。
【００３６】
表示装置３２Ｎから、表示装置３２ＮのＩＤコードと会員のＩＤコードとを入力すると、監視室１６内に備えられたコンピュータ５０は、図５に示した割り込み処理ルーチンをスタートし、ステップ７２で、会員のＩＤコードに対応して発信機２５のＩＤコードが記憶されているか判断する。会員のＩＤコードに対応して発信機２５のＩＤコードが記憶されている場合には、該会員のＩＤコードで識別される会員（遊技者）の子供に発信機２５が携帯されたと判断することができる。
【００３７】
次のステップ７４で、発信機２５のＩＤコードに対応して、表示装置３２ＮのＩＤコードを記憶する。なお、既に表示装置３２ＮのＩＤコードが記憶されている場合には、既に記憶したＩＤコードに新たに入力した表示装置３２ＮのＩＤコードを重ねて記憶する。これにより、会員のＩＤコードで識別される会員が現在いずれの表示装置３２Ｎに対応する遊技機で遊技しているか判断することができる。なお、ステップ７２の判断が否定判定の場合には、本ルーチンを終了する。
【００３８】
次に、移動体監視処理ルーチンを図６を参照して説明する。
複数の受信機２７の何れかにより、子供に携帯された発信機２５からのＩＤコード信号を受信した場合、受信機２７は、該発信機２５のＩＤコード及び該ＩＤコードを受信した受信機２７のＩＤコードを受信信号としてコンピュータ５０に出力する。このように受信信号を入力したコンピュータ５０は、本ルーチンをスタートして、ステップ８２で、受信信号から発信機２５のＩＤコードを取り込み、ステップ８４で、発信機２５のＩＤコードに対応する会員のＩＤコードに対応して記憶された表示装置３２ＮのＩＤコードを取り込み、ステップ８６で、該表示装置３２ＮのＩＤコードにより識別される表示装置３２Ｎに警戒情報を出力して、本ルーチンを終了する。これにより、表示装置３２Ｎには、警戒情報が表示される。
【００３９】
ここで、受信信号には、受信機２７のＩＤコードが含まれるため、コンピュータ５０は、第２のエリアから該受信機２７のＩＤコードに基づいて該受信機２７の位置を取り込むことができる。よって、警戒情報として、受信機２７の位置（例えば、店舗の出入口）に子供が移動した旨の情報を出力することができる。これにより、会員の子供がいずれの出入口１８、１９に移動したか知ることができる。よって、該会員は、子供を監視することができ、子供の誘拐を防止することができると共に子供を探しやすくなる。
【００４０】
なお、遊技者が、遊技を終了した後は、駐車スペースに戻って、駐車装置２４のカードリーダに会員カードを挿入する。この場合、駐車装置２４は、車止め装置を制御して車止めをしているので、遊技者が退去することを認識することができる。
【００４１】
そこで、駐車装置２４は、車止め装置を制御して車止めをしているとき、会員カードが挿入された場合に、退去信号と駐車スペースのＩＤコードとをコンピュータ５０に出力する。駐車装置２４から退去信号と駐車スペースのＩＤコードとが入力された場合、コンピュータ５０は、図７に示した割り込み処理ルーチンをスタートし、ステップ９６で、車止め解除信号を出力する。これにより駐車装置２４は、車止め装置を制御して車止めを解除することになる。
【００４２】
なお、会員でないものが無断で駐車スペースに車を駐車すると車止めされ、会員カードを挿入等しなければ車止めを解除することができないので、無断駐車を防止又は抑制することができる。
【００４３】
次のステップ９８で、発信機２５のＩＤコード、会員のＩＤコード、表示装置３２ＮのＩＤコードを消去する。なお、上記カウンタにおいて発信機２５が返却された場合、同様の処理を実行してもよい。
【００４４】
次に、本形態の変形例を説明する。前述した実施の形態は、表示装置に警戒情報を表示するようにしているが、本変形例は、カメラ２３により撮影された画像を表示するものである。
【００４５】
即ち、受信信号を入力したコンピュータ５０は、図８に示した制御ルーチンををスタートして、ステップ１０２で、受信信号から発信機２５のＩＤコードを取り込み、ステップ１０４で、第２のエリアから受信機２７のＩＤコードに対応するカメラ２３のＩＤコードを取り込み、該ＩＤコードにより識別されたカメラ２３に撮影指示信号を出力する。
【００４６】
この撮影指示信号を入力したカメラ２３は、上記出入口１８又は出入口１９の周辺を撮影し、該撮影データをコンピュータ５０に出力する。この撮影データを入力するとステップ１０６が肯定判定となって、ステップ１０８で、発信機２５のＩＤコードに対応する会員コードに対応して記憶された表示装置３２ＮのＩＤコードを取り込み、該表示装置３２ＮのＩＤコードにより識別される表示装置３２Ｎに撮影データを出力して、本ルーチンを終了する。これにより、表示装置３２Ｎには、発信機２５からの信号を受信した受信機２７が配置された上記出入口１８又は出入口１９の周辺の画像が表示され、これにより表示装置３２Ｎには子供の様子が表示される。
【００４７】
なお、受信機２７の位置（例えば、店舗の出入口１８）情報も出力してもよい。
【００４８】
このように、受信機２７により発信機２５からの信号が受信されると、該発信機２５が携帯さた子供の親が遊技している遊技機の表示装置３２Ｎに子供の様子が表示される。よって、会員は、選択的かつ間接的に目視により自分の子供を監視することができ、子供の誘拐を防止することができると共に子供を探しやすくなる。
【００４９】
なお、パチンコ店舗の出入口及びパチンコ店の敷地の境界の出入口に対応してカメラを配置するようにしたが、本発明はこれに限定されるものでなく、撮影領域を変更可能な少なくとも１つのカメラ（所謂、くびふりカメラ）を配置し、パチンコ店舗の出入口及びパチンコ店の敷地の境界を該カメラにより撮影するようにしてもよい。これにより、カメラ数を少なくすことができる。
【００５０】
【発明の効果】
以上説明したように本発明は、受信機により信号が受信された場合、所定の情報が表示されるので、移動体を監視することができ、遊技者は安心して遊技に熱中することができる、という効果を有する。
【図面の簡単な説明】
【図１】遊技店の敷地を示した図である。
【図２】１つの島を示した図である。
【図３】本形態の監視装置の制御系を示したブロック図である。
【図４】会員のＩＤコード及び発信機のＩＤコードを入力したとき割り込んで実行する割り込み制御処理ルーチンを示すフローチャートである。
【図５】会員のＩＤコード及び表示装置のＩＤコードを入力したとき割り込んで実行する割り込み制御処理ルーチンを示すフローチャートである。
【図６】移動体監視処理ルーチンを示すフローチャートである。
【図７】遊技者が退店する際に実行する割り込み制御ルーチンを示すフローチャートである。
【図８】変形例の移動体監視処理ルーチンを示すフローチャートである。
【符号の説明】
１０    敷地
１２    店舗
２３    カメラ
２４    駐車装置
２５    発信機
２７    受信機
３２Ｎ    表示装置
５０    コンピュータ
【図１】
0003645041.tif 000002
【図２】
0003645041.tif 000003
【図３】
0003645041.tif 000004
【図４】
0003645041.tif 000005
【図５】
0003645041.tif 000006
【図６】
0003645041.tif 000007
【図７】
0003645041.tif 000008
【図８】
0003645041.tif 000009